(57)【特許請求の範囲】
【請求項１】
Ｃｏｍｐｒｅｓｓｅｄ  Ｍｏｄｅ状態において、異周波数、異システム間のハンドオーバを実現するために、無線基地局がギャップを設け、移動端末に向けてデータを送信し、移動端末が異周波数あるいは異システムの通信状態を観測する移動通信システムであって、
前記Ｃｏｍｐｒｅｓｓｅｄ  Ｍｏｄｅ開始時点からの経過時間を基にその時点でのギャップの同期情報を認識し、
当該ギャップの同期情報を基にハンドオーバ元の無線基地局と同じギャップパターンをハンドオーバ先の無線基地局に指示するとともに、
前記無線基地局を制御する無線基地局制御装置を含み、
前記無線基地局制御装置が、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識することを特徴とする移動通信システム。
【請求項２】
前記ＨＦＮは、前記秘匿とは独立に、前記ＣＦＮのカウントが始まった時点から起動することを特徴とする請求項１記載の移動通信システム。
【請求項３】
Ｃｏｍｐｒｅｓｓｅｄ  Ｍｏｄｅ状態において、異周波数、異システム間のハンドオーバを実現するために、無線基地局がギャップを設け、移動端末に向けてデータを送信し、移動端末が異周波数あるいは異システムの通信状態を観測する移動通信システムにおいて前記無線基地局を制御する無線基地局制御装置であって、
前記Ｃｏｍｐｒｅｓｓｅｄ  Ｍｏｄｅ開始時点からの経過時間を基にその時点でのギャップの同期情報を認識し、当該ギャップの同期情報を基にハンドオーバ元の無線基地局と同じギャップパターンをハンドオーバ先の無線基地局に指示するとともに、
前記ギャップの同期情報を認識する際に、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識することを特徴とする基地局制御装置。
【請求項４】
前記ＨＦＮは、前記秘匿とは独立に、前記ＣＦＮのカウントが始まった時点から起動することを特徴とする請求項３記載の基地局制御装置。
【請求項５】
異周波数、異システム間のハンドオーバを実現するために、無線基地局がギャップを設け、移動端末に向けてデータを送信し、移動端末が異周波数あるいは異システムの通信状態を観測しているＣｏｍｐｒｅｓｓｅｄ  Ｍｏｄｅ実行中のソフトハンドオーバ方法であって、
前記Ｃｏｍｐｒｅｓｓｅｄ  Ｍｏｄｅ開始時点からの経過時間を基にその時点でのギャップの同期情報を認識するステップと、当該ギャップの同期情報を基にハンドオーバ元の無線基地局と同じギャップパターンをハンドオーバ先の無線基地局に指示するステップとを有し、
前記ギャップの同期情報を認識するステップにおいて、前記無線基地局を制御する無線基地局制御装置が、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識することを特徴とするソフトハンドオーバ方法。
【請求項６】
前記ＨＦＮは、前記秘匿とは独立に、前記ＣＦＮのカウントが始まった時点から起動することを特徴とする請求項５記載のソフトハンドオーバ方法。
【発明の詳細な説明】
【０００１】
【発明の属する技術分野】
本発明は移動通信システム、無線基地局制御装置及びそれらに用いるＣｏｍｐｒｅｓｓｅｄ  Ｍｏｄｅ実行中のソフトハンドオーバ方法に関し、特に移動通信システムにおけるＣｏｍｐｒｅｓｓｅｄ  Ｍｏｄｅ実行中のソフトハンドオーバに関する。
【０００２】
【従来の技術】
従来、移動通信システムにおいては、現在使用している周波数、システムの境界、あるいは同周波数、システムの電波状態が悪いケースを考慮し、異周波数、異システム間のハンドオーバを行う。
【０００３】
しかしながら、移動端末では同時に複数の周波数を測定することができないので、移動端末が異周波数あるいは異システムの通信状態を観測するために、無線基地局がギャップ（ＧＡＰ）を設け、移動端末にむけてデータを送信する必要がある。このギャップにおける無線基地局から移動端末へのデータ送信状態をＣｏｍｐｒｅｓｓｅｄ  Ｍｏｄｅ状態と呼んでいる。
【０００４】
このＣｏｍｐｒｅｓｓｅｄ  Ｍｏｄｅ状態では、ある一定の条件を満たした時点で、異周波数、異システム間のハンドオーバを行うが、その条件を満たす前に現状の周波数の無線状態が悪くなった場合には別のセルへのソフトハンドオーバを行う必要がある。
【０００５】
以下、このＣｏｍｐｒｅｓｓｅｄ  Ｍｏｄｅ状態について説明する。無線基地局制御装置が無線基地局装置に対し、セルをＣｏｍｐｒｅｓｓｅｄ  Ｍｏｄｅに実行するよう要求する。その際、無線基地局制御装置はギャップの開始パターンを指示する。上記と同様に、無線基地局制御装置が移動端末に対して、Ｃｏｍｐｒｅｓｓｅｄ  Ｍｏｄｅの開始とギャップのパターンとを指示する。
【０００６】
Ｃｏｍｐｒｅｓｓｅｄ  Ｍｏｄｅ状態が開始されると、移動端末ではギャップの部分にて異周波数あるいは異システムの通信状態を測定する。Ｃｏｍｐｒｅｓｓｅｄ  Ｍｏｄｅ状態において、移動端末が同周波数の無線状態を検出し、同一周波数の無線基地局装置配下のセルについてハンドオーバ要求を無線基地局制御装置に送信する。
【０００７】
無線基地局制御装置ではＣｏｍｐｒｅｓｓｅｄ  Ｍｏｄｅを継続するために、無線基地局装置に対し、同じギャップパターンを指示する必要がある。これは、移動端末が無線基地局装置配下のセル、ハンドオーバ先の他の無線基地局装置配下のセルともに、同じタイミングでギャップの位置を認識して他の周波数、システムの無線状態を測定し、それ以外は下りデータの受信を行うためである。
【０００８】
【発明が解決しようとする課題】
しかしながら、上述した従来の移動通信システムでは、図７に示すように、ギャップの間隔が２のべき乗でない場合、ＣＦＮ（Ｃｏｎｎｅｃｔｉｏｎ  Ｆｒａｍｅ  Ｎｕｍｂｅｒ：０〜２５６：１ＦＮ= １０ｍｓ）より、次のタイミングで同じＣＦＮになるとは限らず、１周目はＣＦＮ＝１０でも、２周目ではＣＦＮ＝１２とずれてしましまい、Ｃｏｍｐｒｅｓｓｅｄ  Ｍｏｄｅ中に同周波数のソフトハンドハンドオーバを行うことができないという問題がある。
【０００９】
そこで、本発明の目的は上記の問題点を解消し、Ｃｏｍｐｒｅｓｓｅｄ  Ｍｏｄｅ中に同周波数のソフトハンドオーバを行うことができる移動通信システム、無線基地局制御装置及びそれらに用いるＣｏｍｐｒｅｓｓｅｄ  Ｍｏｄｅ実行中のソフトハンドオーバ方法を提供することにある。
【００１０】
【課題を解決するための手段】
本発明による移動通信システムは、Ｃｏｍｐｒｅｓｓｅｄ  Ｍｏｄｅ状態において、異周波数、異システム間のハンドオーバを実現するために、無線基地局がギャップを設け、移動端末に向けてデータを送信し、移動端末が異周波数あるいは異システムの通信状態を観測する移動通信システムであって、
前記Ｃｏｍｐｒｅｓｓｅｄ  Ｍｏｄｅ開始時点からの経過時間を基にその時点でのギャップの同期情報を認識し、
当該ギャップの同期情報を基にハンドオーバ元の無線基地局と同じギャップパターンをハンドオーバ先の無線基地局に指示するとともに、
前記無線基地局を制御する無線基地局制御装置を具備し、
前記無線基地局制御装置が、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識している。
【００１１】
本発明による無線基地局制御装置は、Ｃｏｍｐｒｅｓｓｅｄ  Ｍｏｄｅ状態において、異周波数、異システム間のハンドオーバを実現するために、無線基地局がギャップを設け、移動端末に向けてデータを送信し、移動端末が異周波数あるいは異システムの通信状態を観測する移動通信システムにおいて前記無線基地局を制御する無線基地局制御装置であって、
前記Ｃｏｍｐｒｅｓｓｅｄ  Ｍｏｄｅ開始時点からの経過時間を基にその時点でのギャップの同期情報を認識し、当該ギャップの同期情報を基にハンドオーバ元の無線基地局と同じギャップパターンをハンドオーバ先の無線基地局に指示するとともに、
前記ギャップの同期情報を認識する際に、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識している。
【００１２】
本発明によるＣｏｍｐｒｅｓｓｅｄ  Ｍｏｄｅ実行中のソフトハンドオーバ方法は、異周波数、異システム間のハンドオーバを実現するために、無線基地局がギャップを設け、移動端末に向けてデータを送信し、移動端末が異周波数あるいは異システムの通信状態を観測しているＣｏｍｐｒｅｓｓｅｄ  Ｍｏｄｅ実行中のソフトハンドオーバ方法であって、
前記Ｃｏｍｐｒｅｓｓｅｄ  Ｍｏｄｅ開始時点からの経過時間を基にその時点でのギャップの同期情報を認識するステップと、当該ギャップの同期情報を基にハンドオーバ元の無線基地局と同じギャップパターンをハンドオーバ先の無線基地局に指示するステップとを備え、
前記ギャップの同期情報を認識するステップにおいて、前記無線基地局を制御する無線基地局制御装置が、ＣＦＮ（Ｃｏｎｎｅｃｔｉｏｎ  Ｆｒａｍｅ  Ｎｕｍｂｅｒ）と、制御信号及びユーザ情報が無線区間にて不当に傍受されることを防ぐ秘匿で使用しかつ前記ＣＦＮが１周すると１カウントアップするＨＦＮ（Ｈｙｐｅｒ  Ｆｒａｍｅ  Ｎｕｍｂｅｒ）とを活用して前記Ｃｏｍｐｒｅｓｓｅｄ  Ｍｏｄｅ開始時からの差分より現時点での前記ギャップの位置を計算することで前記ギャップの同期情報を認識している。
【００１３】
すなわち、本発明の移動通信システムは、信頼度の高い通信品質を保ちながら、異周波数、異システム間ハンドオーバを実現することが可能な構成を提供するものである。
【００１４】
より具体的に説明すると、本発明の移動通信システムでは、異周波数、異システム間のハンドオーバを実現するために、無線基地局がギャップ（ＧＡＰ）を設け、移動端末に向けてデータを送信し、移動端末が異周波数あるいは異システムの通信状態を観測している（Ｃｏｍｐｒｅｓｓｅｄ  Ｍｏｄｅ状態）。
【００１５】
本発明の移動通信システムでは、このＣｏｍｐｒｅｓｓｅｄ  Ｍｏｄｅ状態の時に、ある一定の条件を満たした時点で、異周波数、異システム間のハンドオーバを行うが、その条件を満たす前に現状の周波数の無線状態が悪くなると、別のセルへのソフトハンドオーバを行う必要がある。
【００１６】
そこで、本発明の移動通信システムでは、このＣｏｍｐｒｅｓｓｅｄ  Ｍｏｄｅ状態中でのソフトオーバを実現することで、信頼度の高い通信品質を保ち続けることを可能としている。
【００１７】
つまり、本発明では、無線基地局制御装置がＣｏｍｐｒｅｓｓｅｄ  Ｍｏｄｅ開始時点からの経過時間を基にその時点でのギャップの同期情報を認識することで、異周波数ハードハンドオーバ、異システムハードハンドオーバを実現するためのＣｏｍｐｒｅｓｓｅｄ  Ｍｏｄｅ中における同周波数のソフトハンドオーバが可能となる。
【００１８】
【発明の実施の形態】
次に、本発明の実施例について図面を参照して説明する。図１は本発明の一実施例による移動通信システムの構成を示すブロック図である。図１において、ハンドオーバを制御する無線基地局制御装置（ＲＮＣ：Ｒａｄｉｏ  Ｎｅｔｗｏｒｋ  Ｃｏｎｔｒｏｌｌｅｒ）１と、無線基地局装置（ＮｏｄｅＢ）２，３と、基地局装置２，３が収容するエリア（セル）１０１〜１０６と、移動端末（ＵＥ：Ｕｓｅｒ  Ｅｑｕｉｐｍｅｎｔ）４とから構成されている。
【００１９】
無線基地局制御装置１は信頼度の高い通信品質を保ち続けるために、無線基地局装置２及び移動端末４に対して制御の要求を出す。これらの各装置はそれぞれ、概略、次のように動作する。
【００２０】
これらの装置においては、現在使用している周波数、システムの境界、あるいは同周波数、システムの電波状態が悪いケースを考慮し、異周波数、異システム間ハンドオーバを行う。
【００２１】
しかしながら、移動端末４では複数の周波数を同時に測定することができないので、移動端末４が異周波数あるいは異システムの通信状態を観測するために、無線基地局装置２ではギャップ（ＧＡＰ）を設け、移動端末４に向けてデータを送信する必要がある。このデータ送信状態をＣｏｍｐｒｅｓｓｅｄ  Ｍｏｄｅ状態と呼ぶ。
【００２２】
無線基地局制御装置１は無線基地局装置２に対して、セル１０３をＣｏｍｐｒｅｓｓｅｄ  Ｍｏｄｅに実行するように要求する。その際、無線基地局制御装置１は無線基地局装置２に対してギャップの開始パターンを指示する。同様に、無線基地局制御装置１は移動端末４に対しても、Ｃｏｍｐｒｅｓｓｅｄ  Ｍｏｄｅの開始とギャップのパターンとを指示する。
【００２３】
Ｃｏｍｐｒｅｓｓｅｄ  Ｍｏｄｅ状態が開始されると（図１の処理ａ）、移動端末４ではギャップの部分にて異周波数あるいは異システムの通信状態を測定する。Ｃｏｍｐｒｅｓｓｅｄ  Ｍｏｄｅ状態において、移動端末４は同周波数の無線状態を検出し、同一周波数の無線基地局装置３配下のセル１０４についてハンドオーバ要求を無線基地局制御装置１に送信する。
【００２４】
無線基地局制御装置１ではＣｏｍｐｒｅｓｓｅｄ  Ｍｏｄｅを継続するために、無線基地局装置３に対して同じギャップパターンを指示する必要がある。これは移動端末４が無線基地局装置２配下のセル１０３、無線基地局装置３配下のセル１０４をともに、同じタイミングでギャップの位置を認識して他の周波数、システムの無線状態を測定し、それ以外は下りデータの受信を行うためである。
【００２５】
しかしながら、ギャップの間隔が２のべき乗でない場合には、ＣＦＮ（Ｃｏｎｎｅｃｔｉｏｎ  Ｆｒａｍｅ  Ｎｕｍｂｅｒ：０〜２５６：１ＦＮ= １０ｍｓ）より次のタイミングで、同じＣＦＮになるとは限らず、１周目はＣＦＮ＝１０でも、２周目ではＣＦＮ＝１２とずれてしまうといった問題がある。
【００２６】
そのため、制御信号及びユーザ情報が無線区間にて不当に傍受されることを防ぐ秘匿で使用しているＨＦＮ（Ｈｙｐｅｒ  Ｆｒａｍｅ  Ｎｕｍｂｅｒ、ＣＦＮが１周すると１カウントアップ) を活用することで、Ｃｏｍｐｒｅｓｓｅｄ  Ｍｏｄｅ開始時からの差分（ＨＦＮ、ＣＦＮを活用）より現時点でのギャップの位置（ＣＦＮ）を計算することができる。
【００２７】
このＨＦＮ開始タイミングであるが、秘匿を実行しないケースでもそのＣｏｎｎｅｃｔｉｏｎが確立された時点、つまりＣＦＮのカウントが始まった時点からＨＦＮを起動する。
【００２８】
図２はＣｏｍｐｒｅｓｓｅｄ  Ｍｏｄｅのパターンパラメータを示す図である。図２において、Ｃｏｍｐｒｅｓｓｅｄ  ＭｏｄｅのパターンパラメータはＴＧ（Ｔｒａｎｓｍｉｓｓｉｏｎ  Ｇａｐ）パターン（ｐａｔｔｅｒｎ）１，２からなり、ギャップＴＧ１，ＴＧ２を含んでいる。ここで、ギャップＴＧ１の長さはＴＧＬ（Ｔｒａｎｓｍｉｓｓｉｏｎ  Ｇａｐ  Ｌｅｎｇｔｈ）１で、ギャップＴＧ２の長さはＴＧＬ２である。
【００２９】
ＴＧパターン１，２の繰り返しパターンはＴＧＰＬ（Ｔｒａｎｓｍｉｓｓｉｏｎ  Ｇａｐ  Ｌｅｎｇｔｈ）（＝ＴＧＰＬ１＋ＴＧＰＬ２）の長さを持つ。また、ＴＧパターン１，２のギャップＴＧ１においてＴＧＳＮ（Ｔｒａｎｓｍｉｓｓｉｏｎ  Ｇａｐ  Ｓｔａｒｔｉｎｇ  Ｓｌｏｔ  Ｎｕｍｂｅｒ）が送出される。このＴＧＳＮからギャップＴＧ２の前までがＴＧＤ（ＴｒａｎｓｍｉｓｓｉｏｎＧａｐ  Ｄｉｓｔａｎｃｅ）である。
【００３０】
図３は図１の無線基地局装置２，３間の動作を示すシーケンスチャートであり、図４〜図６は本発明の一実施例によるＣｏｍｐｒｅｓｓｅｄ  Ｍｏｄｅのパターンパラメータを示す図である。図５はギャップの間隔が２のべき乗の場合のＣｏｍｐｒｅｓｓｅｄ  Ｍｏｄｅのパターンパラメータを示し、図６はギャップの間隔が２のべき乗でない場合のＣｏｍｐｒｅｓｓｅｄ  Ｍｏｄｅのパターンパラメータを示している。これら図１〜図６を参照して本発明の一実施例による移動通信システム全体の動作について説明する。
【００３１】
まず、Ｃｏｍｐｒｅｓｓｅｄ  Ｍｏｄｅ開始時に（図３のＡ１）、無線基地局制御装置１では現時点でのＨＦＮ（ＣＭ  ＨＦＮ）と、ＣＦＮ（ＣＭ  ＣＦＮ）と、さらにギャップに関する情報とを記憶する。
【００３２】
図３のＡ１はＣｏｍｐｒｅｓｓｅｄ  Ｍｏｄｅ起動処理であり、このＡ１において、無線基地局制御装置１は無線基地局装置２にＲＬ（Ｒａｄｉｏ  Ｌｉｎｋ）  Ｒｅｃｏｎｆｉｇｕｒａｔｉｏｎ  Ｐｒｅｐａｒｅ［ＮＢＡＰ（Ｎｏｄｅ  Ｂ  Ａｐｐｌｉｃａｔｉｏｎ  Ｐｒｏｔｏｃｏｌ）］を送信する。これに対し、無線基地局装置２は無線基地局制御装置１にＲＬ  Ｒｅｃｏｎｆｉｇｕｒａｔｉｏｎ  Ｒｅａｄｙ（ＮＢＡＰ）を送信するので、無線基地局制御装置１は無線基地局装置２にＲＬ  Ｒｅｃｏｎｆｉｇｕｒａｔｉｏｎ  Ｃｏｍｍｉｔ（ＮＢＡＰ）を返す。
【００３３】
また、無線基地局制御装置１は移動端末４にＰｈｙｓｉｃａｌ  ＣＨ（Ｃｈａｎｎｅｌ）  Ｒｅｃｏｎｆｉｇｕｒａｔｉｏｎ［ＲＲＣ（Ｒａｄｉｏ  Ｒｅｓｏｕｒｃｅ  Ｃｏｎｔｒｏｌ）］を送信する。
【００３４】
すると、移動端末４は無線基地局制御装置１にＰｈｙｓｉｃａｌ  ＣＨ  Ｒｅｃｏｎｆｉｇｕｒａｔｉｏｎ  Ｃｏｍｐｌｅｔｅ（ＲＲＣ）を返すので、無線基地局制御装置１は移動端末４にＭｅａｓｕｒｍｅｎｔ  Ｃｏｎｔｒｏｌ（ＲＲＣ）（Ｉｎｔｅｒ−Ｓｙｓｔｅｍに関するＭｅａｓｕｒｍｅｎｔ）を送信する。これによって、無線基地局装置２及び移動端末４はＣｏｍｐｒｅｓｓｅｄ  Ｍｏｄｅ起動中となる。
【００３５】
次に、移動端末４が同周波数の無線状態を検出し、同一周波数の無線基地局装置３配下のセル１０４についてハンドオーバ要求を無線基地局制御装置１に要求する（図３のＡ２）。図３のＡ２においては、移動端末４がＥｖｅｎｔ  １Ａの閾値超えを検出し、Ｍｅａｓｕｒｍｅｎｔ  Ｒｅｐｏｒｔ（ＲＲＣ）（無線基地局装置３配下のセル１０４を追加要求）を無線基地局制御装置１に送信することで行われる。
【００３６】
無線基地局制御装置１ではＣｏｍｐｒｅｓｓｅｄ  Ｍｏｄｅを継続するため、その時点でのＨＦＮ（Ｃｕｒｒｅｎｔ  ＨＦＮ）、ＣＦＮ（Ｃｕｒｒｅｎｔ  ＣＦＮ）を読出し、上記で記憶しておいたＨＦＮ（ＣＭ  ＨＦＮ）と、ＣＦＮ（ＣＭ  ＣＦＮ）との差分を用いてＣＭ（Ｃｏｍｐｒｅｓｓｅｄ  Ｍｏｄｅ）  Ｃｏｎｆｉｇｕｒａｔｉｏｎ  ＣＦＮを計算する。また、無線基地局制御装置１では無線基地局装置３に“ＣＭ  Ｃｏｎｆｉｇｕｒａｔｉｏｎ  Ｃｈａｎｇｅ  ＣＦＮ”を指示する（図３のＡ
３）。
【００３７】
図３のＡ３においては、無線基地局制御装置１が無線基地局装置３にＲＬ  Ｓｅｔｕｐ  Ｒｅｑｕｅｓｔ（ＮＢＡＰ）を送信する。これに対し、無線基地局装置３は無線基地局制御装置１にＲＬ  Ｓｅｔｕｐ  Ｒｅｓｐｏｎｓｅを返す。
また、無線基地局制御装置１は無線基地局装置２にＥｓｔａｂｌｉｓｈ  Ｒｅｑｕｅｓｔ［ＡＬＣＡＰ（Ａｃｃｅｓｓ  Ｌｉｎｋ  Ｃｏｎｔｒｏｌ  Ａｐｐｌｉｃａｔｉｏｎ  Ｐａｒｔ）］を送信する。これに対し、無線基地局装置３は無線基地局制御装置１にＥｓｔａｂｌｉｓｈ  Ｃｏｎｆｉｒｍ（ＡＬＣＡＰ）を返す。
【００３８】
“ＣＭ  Ｃｏｎｆｉｇｕｒａｔｉｏｎ  Ｃｈａｎｇｅ  ＣＦＮ”を用いて、同期情報を無線基地局装置３に提供する場合、無線基地局制御装置１としての処理概要は以下のように行う必要がある。
【００３９】
まず、無線基地局制御装置１はＣｏｍｐｒｅｓｓｅｄ  Ｍｏｄｅ開始時のＣＦＮ／ＨＦＮ（ＣＭ  ＣＦＮ／ＣＭ  ＨＦＮ）を取得し、保存する［処理（１）］。続いて、無線基地局制御装置１はＣｕｒｒｅｎｔ  ＣＦＮとＣｕｒｒｅｎｔ  ＨＦＮとを取得する［処理（２）］。
【００４０】
この後に、無線基地局制御装置１はＣｏｍｐｒｅｓｓｅｄ  Ｍｏｄｅ開始時からのＦｒａｍｅ  Ｎｕｍｂｅｒ（ＦＮ）を、
ＦＮ＝（ＨＦＮ−ＣＭ  ＨＦＮ）＊２５６＋ＣＦＮ−ＣＭ  ＣＦＮ
という式にて計算する［処理（３）］。
【００４１】
この場合、繰返しパターンの長さは、
ＴＧＰＬ＝ＴＧＰＬ１＋ＴＧＰＬ２
という式による値以下の値となる［処理（４）］。
【００４２】
以上の処理から、Ｌａｓｔ  ｐａｓｓｅｄ  ＣＦＮは、
ＣＦＮ≧（ＦＮ）ｍｏｄ（ＴＧＰＬ）の場合、
Ｌａｓｔ  ｐａｓｓｅｄ  ＣＦＮ＝ＣＦＮ−（ＦＮ）ｍｏｄ（ＴＧＰＬ）
ＣＦＮ＜（ＦＮ）ｍｏｄ（ＴＧＰＬ）の場合、
Ｌａｓｔ  ｐａｓｓｅｄ  ＣＦＮ＝２５５−［（ＦＮ）ｍｏｄ（ＴＧＰＬ）−ＣＦＮ]
という式で決定される［処理（５）］。
【００４３】
例えば、ＨＦＮ＝３，ＣＦＮ＝２４，ＣＭ  ＨＦＮ＝１，ＣＭ  ＣＦＮ＝２３０，ＴＧＰＬ＝３０の場合には、以下のようにして行われる。
【００４４】
無線基地局制御装置１はＦＮの値を、
0004013641.tif 000002
というように計算する［処理（５−１）］。
【００４５】
続いて、無線基地局制御装置１は（ＦＮ）ｍｏｄ（ＴＧＰＬ）を、
0004013641.tif 000003
というように計算する［処理（５−２）］。
【００４６】
無線基地局制御装置１はＣＦＮ≧（ＦＮ）ｍｏｄ（ＴＧＰＬ）であるため、“ＣＭ  Ｃｏｎｆｉｇｕｒａｔｉｏｎ  Ｃｈａｎｇｅ  ＣＦＮ”に設定する値が、
0004013641.tif 000004
というように計算する［処理（５−３）］。
【００４７】
無線基地局装置３では“ＣＭ  Ｃｏｎｆｉｇｕｒａｔｉｏｎ  Ｃｈａｎｇｅ  ＣＦＮ”が指示されることで、無線基地局装置２と同じギャップタイミングでＣｏｍｐｒｅｓｓｅｄ  Ｍｏｄｅを実行することができる（図３のＡ４）。
【００４８】
図３のＡ４においては、無線基地局制御装置１が移動端末４にＡｃｔｉｖｅ  Ｓｅｔ  Ｕｐｄａｔｅ（ＲＲＣ）を送信する。すると、移動端末４は無線基地局制御装置１にＡｃｔｉｖｅ  Ｓｅｔ  Ｕｐｄａｔｅ  Ｃｏｍｐｌｅｔｅ（ＲＲＣ）を返すので、無線基地局制御装置１は移動端末４にＭｅａｓｕｒｍｅｎｔ  Ｃｏｎｔｒｏｌ（ＲＲＣ）を送信する。これによって、無線基地局装置３及び移動端末４では、無線基地局装置２と同じギャップタイミングでＣｏｍｐｒｅｓｓｅｄ  Ｍｏｄｅを実行することができる。
【００４９】
無線基地局制御装置１では、Ｃｏｍｐｒｅｓｓｅｄ  Ｍｏｄｅを継続するために、無線基地局装置３に対し、図４に示すように、無線基地局装置２と同じギャップパターンを指示する必要がある。これは移動端末４が無線基地局装置２配下のセル１０３、無線基地局装置３配下のセル１０４とともに、同じタイミングでギャップの位置を認識して他の周波数、システムの無線状態を測定し、それ以外は下りデータの受信を行うためである。
【００５０】
しかしながら、図６に示すように、ギャップの間隔が２のべき乗でない場合、ＣＦＮ（Ｃｏｎｎｅｃｔｉｏｎ  Ｆｒａｍｅ  Ｎｕｍｂｅｒ：０〜２５６：１ＦＮ= １０ｍｓ）より次のタイミングでは同じＣＦＮになるとは限らず、１周目はＣＦＮ＝１０でも、２周目ではＣＦＮ＝１２とずれてしまうといった問題が生ずる。
【００５１】
そのため、秘匿で使用しているＨＦＮ（Ｈｙｐｅｒ  Ｆｒａｍｅ  Ｎｕｍｂｅｒ、ＣＦＮが１周すると１カウントアップ) を活用することで、Ｃｏｍｐｒｅｓｓｅｄ  Ｍｏｄｅ開始時からの差分（ＨＦＮ、ＣＦＮを活用）より現時点でのギャップの位置（ＣＦＮ）を計算することができる。
【００５２】
このＨＦＮ開始タイミングであるが、秘匿を実行しないケースでも、そのＣｏｎｎｅｃｔｉｏｎが確立された時点、つまりＣＦＮのカウントが始まった時点からＨＦＮを起動する。
【００５３】
このように、Ｃｏｍｐｒｅｓｓｅｄ  Ｍｏｄｅ開始時点からの経過時間を基にその時点でのギャップの同期情報を無線基地局制御装置１が認識することができるため、異周波数ハードハンドオーバ、異システムハードハンドオーバを実現することができるので、Ｃｏｍｐｒｅｓｓｅｄ  Ｍｏｄｅ中に同周波数のソフトハンドハンドオーバを行うことができる。
【００５４】
【発明の効果】
以上説明したように本発明は、Ｃｏｍｐｒｅｓｓｅｄ  Ｍｏｄｅ状態において、異周波数、異システム間のハンドオーバを実現するために、無線基地局がギャップを設け、移動端末に向けてデータを送信し、移動端末が異周波数あるいは異システムの通信状態を観測する移動通信システムにおいて、Ｃｏｍｐｒｅｓｓｅｄ  Ｍｏｄｅ開始時点からの経過時間を基にその時点でのギャップの同期情報を認識し、当該ギャップの同期情報を基にハンドオーバ元の無線基地局と同じギャップパターンをハンドオーバ先の無線基地局に指示することによって、Ｃｏｍｐｒｅｓｓｅｄ  Ｍｏｄｅ中に同周波数のソフトハンドオーバを行うことができるという効果が得られる。
【図面の簡単な説明】
【図１】本発明の一実施例による移動通信システムの構成を示すブロック図である。
【図２】Ｃｏｍｐｒｅｓｓｅｄ  Ｍｏｄｅのパターンパラメータを示す図である。
【図３】図１の無線基地局装置間の動作を示すシーケンスチャートである。
【図４】本発明の一実施例によるＣｏｍｐｒｅｓｓｅｄ  Ｍｏｄｅのパターンパラメータを示す図である。
【図５】本発明の一実施例によるＣｏｍｐｒｅｓｓｅｄ  Ｍｏｄｅのパターンパラメータを示す図である。
【図６】本発明の一実施例によるＣｏｍｐｒｅｓｓｅｄ  Ｍｏｄｅのパターンパラメータを示す図である。
【符号の説明】
１  無線基地局制御装置
２，３  無線基地局装置
４  移動端末
１０１〜１０６  エリア（セル）
【図１】
0004013641.tif 000005
【図２】
0004013641.tif 000006
【図３】
0004013641.tif 000007
【図４】
0004013641.tif 000008
【図５】
0004013641.tif 000009
【図６】
0004013641.tif 000010